【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
計測されたコモディティの消費を測定し、前記計測されたコモディティに関係付けられているメータの現在のメータ値を中央計測設備に通信するメータ読み取りデバイスを初期化する方法において、
ハンドヘルド初期化装置によって取り出された前記メータからのメータ情報をキャプチャすることと、
前記ハンドヘルド初期化装置によって取り出された前記メータ情報に基づいて、前記メータ読み取りデバイスにおいて、前記メータの初期メータ値を受信することと、
前記メータ読み取りデバイスの初期取り付けの際に、新たな顧客の前記メータとの関係付けの際に、または、前記メータ読み取りデバイスの交換の際に、前記ハンドヘルド初期化装置によって取得された前記初期メータ値を使用して、前記メータ読み取りデバイスを初期化することと、
前記メータ読み取りデバイスを初期化した後の後続する時間に、前記メータ読み取りデバイスによって、ａ）前記現在のメータ値、および、ｂ）前記初期メータ値および前記現在のメータ値に基づく測定された消費、のうちの少なくとも１つを決定することと、
前記現在のメータ値または前記測定された消費を前記中央計測設備に通信することと、を備える、
方法。
【請求項２】
前記キャプチャすることと前記決定することは、ポータブルデバイスによって実行される、請求項１に記載の方法。
【請求項３】
前記初期化することは、ワイヤレス通信リンクを介して、前記ポータブルデバイスから前記メータ読み取りデバイスに、前記初期メータ値を通信することを含む、請求項２に記載の方法。
【請求項４】
前記初期化することは、前記ポータブルデバイスから通信された前記初期メータ値を、前記メータ読み取りデバイス中に記録することを含む、請求項３に記載の方法。
【請求項５】
前記通信することは、ワイヤレスリンクを介して、前記メータ読み取りデバイスから前記中央計測設備に、前記現在のメータ値を通信することを含む、請求項４に記載の方法。
【請求項６】
メータ読み取りデバイスを初期化するための装置において、
前記メータ読み取りデバイスは、計測されたコモディティの消費を測定し、前記計測されたコモディティに関係付けられているメータの現在のメータ値を中央計測設備に通信するように構成され、
前記装置は、
メータ情報を表示する前記メータの光学イメージをキャプチャするように構成されたカメラを備えるハンドヘルド初期化装置と、
プロセッサであって、
前記ハンドヘルド初期化装置によって取り出された前記メータからのメータ情報をキャプチャし、
前記ハンドヘルド初期化装置によって取り出された前記キャプチャされたメータ情報から前記メータの初期メータ値を決定し、
前記メータ読み取りデバイスの初期取り付けの際に、新たな顧客の前記メータとの関係付けの際に、または、前記メータ読み取りデバイスの交換の際に、前記ハンドヘルド初期化装置によって取得された前記初期メータ値を前記メータ読み取りデバイスに提供するように構成されているプロセッサと、を備え、ここにおいて、
前記メータ読み取りデバイスを初期化した後、および、前記ハンドヘルド初期化装置から前記初期メータ値を受信した後の後続する時間に、前記メータ読み取りデバイスは、
ａ）前記現在のメータ値、および、ｂ）前記初期メータ値および前記現在のメータ値に基づく測定された消費、のうちの少なくとも１つを決定することと、
前記現在のメータ値または前記測定された消費を前記中央計測設備に通信することと、が可能である、
装置。
【請求項７】
前記装置は、ポータブルデバイスである、請求項６に記載の装置。
【請求項８】
前記プロセッサは、ワイヤレス通信リンクを介して、前記メータ読み取りデバイスに、前記初期メータ値を通信するようにさらに構成されている、請求項７に記載の装置。
【請求項９】
前記メータ読み取りデバイスは、前記ポータブルデバイスから通信された前記初期メータ値を記録する、請求項８に記載の装置。
【請求項１０】
前記メータ読み取りデバイスは、ワイヤレスリンクを介して、前記中央計測設備に、前記現在のメータ値を通信する、請求項９に記載の装置。
【請求項１１】
メータ読み取りデバイスを初期化するためのシステムにおいて、
計測されたコモディティの消費を測定し、前記計測されたコモディティに関係付けられているメータの現在のメータ値を中央計測設備に通信するように構成されている前記メータ読み取りデバイスと、
初期化装置とを備え、前記初期化装置は、
メータ情報を表示する前記メータの光学イメージをキャプチャするように構成されているカメラと、
プロセッサであって、
ハンドヘルド初期化装置によって取り出された前記メータからのメータ情報をキャプチャし、
前記ハンドヘルド初期化装置によって取り出された前記キャプチャされたメータ情報から前記メータの初期メータ値を決定し、
前記メータ読み取りデバイスの初期取り付けの際に、新たな顧客の前記メータとの関係付けの際に、または、前記メータ読み取りデバイスの交換の際に、前記ハンドヘルド初期化装置によって取得された前記初期メータ値を前記メータ読み取りデバイスに提供するように構成されているプロセッサと、を含み、ここにおいて、
前記メータ読み取りデバイスを初期化した後、および、前記ハンドヘルド初期化装置から前記初期メータ値を受信した後の後続する時間に、前記メータ読み取りデバイスは、
ａ）前記現在のメータ値、および、ｂ）前記初期メータ値および前記現在のメータ値に基づく測定された消費、のうちの少なくとも１つを決定することと、
前記現在のメータ値または前記測定された消費を前記中央計測設備に通信することと、が可能である、
システム。
【請求項１２】
前記初期化装置は、ポータブルデバイスである、請求項１１に記載のシステム。
【請求項１３】
前記初期化装置は、ワイヤレス通信リンクを介して、前記メータ読み取りデバイスに、前記初期メータ値を通信するように構成されている、請求項１２に記載のシステム。
【請求項１４】
前記メータ読み取りデバイスは、前記初期化装置から通信された前記初期メータ値を記録するようにさらに構成されている、請求項１３に記載のシステム。
【請求項１５】
前記メータ読み取りデバイスは、ワイヤレスリンクを介して、前記中央計測設備に、前記現在のメータ値を通信するようにさらに構成されている、請求項１４に記載のシステム。
【請求項１６】
コンピュータ読み取り可能な命令を記録した非一時的コンピュータ読み取り可能な記録媒体において、処理システムによって命令が実行されたときに、前記処理システムに、計測されたコモディティの消費を測定し、前記計測されたコモディティに関係付けられているメータの現在のメータ値を中央計測設備に通信するメータ読み取りデバイスを初期化する方法を実行させ、前記方法は、
ハンドヘルド初期化装置によって取り出された前記メータからのメータ情報をキャプチャすることと、
前記ハンドヘルド初期化装置によって取り出されたメータ情報に基づいて、前記メータ読み取りデバイスにおいて、前記メータの初期メータ値を受信することと、
前記メータ読み取りデバイスの初期取り付けの際に、新たな顧客の前記メータとの関係付けの際に、または、前記メータ読み取りデバイスの交換の際に、前記ハンドヘルド初期化装置によって取得された前記初期メータ値を使用して、前記メータ読み取りデバイスを初期化することと、
前記メータ読み取りデバイスを初期化した後の後続する時間に、前記メータ読み取りデバイスによって、ａ）前記現在のメータ値、および、ｂ）前記初期メータ値および前記現在のメータ値に基づく測定された消費、のうちの少なくとも１つを決定することと、
前記現在のメータ値または前記測定された消費を前記中央計測設備に通信することと、を備える、
非一時的コンピュータ読み取り可能な記録媒体。
【請求項１７】
前記キャプチャすることと前記決定することは、ポータブルデバイスによって実行される、請求項１６に記載の非一時的コンピュータ読み取り可能な記録媒体。
【請求項１８】
前記初期化することは、ワイヤレスリンクを介して、前記ポータブルデバイスから前記メータ読み取りデバイスに、前記初期メータ値を通信することを含む、請求項１７に記載の非一時的コンピュータ読み取り可能な記録媒体。
【請求項１９】
前記初期化することは、前記ポータブルデバイスから通信された前記初期メータ値を、前記メータ読み取りデバイス中に記録することを含む、請求項１８に記載の非一時的コンピュータ読み取り可能な記録媒体。
【請求項２０】
前記通信することは、ワイヤレスリンクを介して、前記メータ読み取りデバイスから前記中央計測設備に、前記現在のメータ値を通信することを含む、請求項１９に記載の非一時的コンピュータ読み取り可能な記録媒体。
【請求項２１】
メータ読み取りデバイスを初期化する装置において、前記メータ読み取りデバイスは、計測されたコモディティの消費を測定し、前記計測されたコモディティに関係付けられているメータの現在のメータ値を中央計測設備に通信するように構成され、前記装置は、
メータ情報をキャプチャするように構成されているハンドヘルド初期化装置と、
プロセッサであって、
前記ハンドヘルド初期化装置によって取り出された前記メータからのメータ情報をキャプチャし、
前記ハンドヘルド初期化装置によって取り出された前記キャプチャされたメータ情報から前記メータの初期メータ値を決定し、
前記メータ読み取りデバイスの初期取り付けの際に、新たな顧客の前記メータとの関係付けの際に、または、前記メータ読み取りデバイスの交換の際に、前記ハンドヘルド初期化装置によって取得された前記初期メータ値を前記メータ読み取りデバイスに提供するように構成されているプロセッサと、を備え、ここにおいて、
前記メータ読み取りデバイスを初期化した後、および、前記ハンドヘルド初期化装置から前記初期メータ値を受信した後の後続する時間に、前記メータ読み取りデバイスは、
ａ）前記現在のメータ値、および、ｂ）前記初期メータ値および前記現在のメータ値に基づく測定された消費、のうちの少なくとも１つを決定することと、
前記現在のメータ値または前記測定された消費を前記中央計測設備に通信することと、が可能である、
装置。
【請求項２２】
前記装置は、ポータブルデバイスである、請求項２１に記載の装置。
【請求項２３】
前記プロセッサは、ワイヤレス通信リンクを介して、前記メータ読み取りデバイスに、前記初期メータ値を通信するようにさらに構成されている、請求項２２に記載の装置。
【請求項２４】
前記メータ読み取りデバイスは、前記ポータブルデバイスから通信された前記初期メータ値を記録する、請求項２３に記載の装置。
【請求項２５】
前記メータ読み取りデバイスは、ワイヤレスリンクを介して、前記中央計測設備に、前記現在のメータ値を通信する、請求項２４に記載の装置。
【請求項２６】
メータ読み取りデバイスを初期化する装置において、
前記メータ読み取りデバイスは、計測されたコモディティの消費を測定し、前記計測されたコモディティに関係付けられているメータの現在のメータ値を中央計測設備に通信するように構成され、
前記装置は、
前記メータ読み取りデバイスと通信する初期化装置と、
プロセッサであって、
前記初期化装置によって取り出されたメータ情報を受信し、
前記初期化装置によって取り出されたメータ情報から前記メータの初期メータ値を決定し、
前記メータ読み取りデバイスの初期取り付けの際、新たな顧客の前記メータとの関係付けの際、または、前記メータ読み取りデバイスの交換の際に、前記初期化装置によって取得された前記初期メータ値を使用して、前記メータ読み取りデバイスを初期化するように構成されているプロセッサと、を備える、
装置。
【手続補正２】
【補正対象書類名】明細書
【補正対象項目名】００４５
【補正方法】変更
【補正の内容】
【００４５】
多数の実施形態が記載されている。それにもかかわらず、本開示の精神および範囲から逸脱することなく、さまざまな修正がなされてもよいことが理解されるだろう。例えば、開示された技術のステップが異なるシーケンスで実行される場合、開示されたシステム中のコンポーネントが異なる方法で組み合わされる場合、または、コンポーネントが他のコンポーネントによって置き換えられまたは追加される場合、好ましい結果を達成することができる。ここで説明する機能、プロセス、およびアルゴリズムは、コンピュータプロセッサおよび／またはプログラム可能回路を含む、ハードウェアまたはハードウェアによって実行されるソフトウェア中で実行されてもよく、コンピュータプロセッサおよび／またはプログラム可能回路は、ここで説明した機能、プロセスおよびアルゴリズムを実行するプログラムコードおよび／またはコンピュータ命令を実行するように、構成されている。さらに、いくつかのインプリメンテーションは、説明したものと同一ではないモジュールまたはハードウェア上で実行されてもよい。したがって、他のインプリメンテーションは、請求項中に記載されていてもよい範囲内である。
以下に、本願出願の当初の特許請求の範囲に記載された発明を付記する。
［１］  メータの現在のメータ値を中央計測設備に通信するメータ読み取りデバイスを初期化する方法において、
カメラによって、メータ情報を表示する前記メータの光学イメージをキャプチャすることと、
前記メータの前記光学イメージ中の前記メータ情報から、初期メータ値を決定することと、
前記初期メータ値を使用して、前記メータ読み取りデバイスを初期化することとを備える、方法。
［２］  前記キャプチャすることと前記決定することは、ポータブルデバイスによって実行される、［１］に記載の方法。
［３］  前記初期化することは、ワイヤレス通信リンクを介して、前記ポータブルデバイスから前記メータ読み取りデバイスに、前記初期メータ値を通信することを含む、［２］に記載の方法。
［４］  前記初期化することは、前記ポータブルデバイスから通信された前記初期メータ値を、前記メータ読み取りデバイス中に記録することを含む、［３］に記載の方法。
［５］  前記メータ読み取りデバイス中に記録されている前記初期メータ値に基づいて、前記メータの前記現在のメータ値を決定することと、
ワイヤレスリンクを介して、前記メータ読み取りデバイスから前記中央計測設備に、前記現在のメータ値を通信することとをさらに備える、［４］に記載の方法。
［６］  メータ読み取りデバイスを初期化するための装置において、
前記メータ読み取りデバイスは、メータの現在のメータ値を中央計測設備に通信するように構成され、
前記装置は、
メータ情報を表示する前記メータの光学イメージをキャプチャするように構成されたカメラと、
前記メータの前記光学イメージ中の前記メータ情報から、初期メータ値を決定し、
前記初期メータ値を使用して、前記メータ読み取りデバイスを初期化するように構成されているプロセッサとを備える、装置。
［７］  前記装置は、ポータブルデバイスである、［６］に記載の装置。
［８］  前記プロセッサは、ワイヤレス通信リンクを介して、前記メータ読み取りデバイスに、前記初期メータ値を通信するようにさらに構成されている、［７］に記載の装置。
［９］  前記メータ読み取りデバイスは、前記ポータブルデバイスから通信された前記初期メータ値を記録する、［８］に記載の装置。
［１０］  前記メータ読み取りデバイスは、
前記メータ読み取りデバイス中に記録されている前記初期メータ値に基づいて、前記メータの前記現在のメータ値を決定し、
ワイヤレスリンクを介して、前記中央計測設備に、前記現在のメータ値を通信する、［９］に記載の装置。
［１１］  メータ読み取りデバイスを初期化するためのシステムにおいて、
メータの現在のメータ値を中央計測設備に通信するように構成されている前記メータ読み取りデバイスと、
初期化装置とを備え、前記初期化装置は、
メータ情報を表示する前記メータの光学イメージをキャプチャするように構成されているカメラと、
前記メータの前記光学イメージ中の前記メータ情報から、初期メータ値を決定し、
前記初期メータ値を使用して、前記メータ読み取りデバイスを初期化するように構成されているプロセッサとを含む、システム。
［１２］  前記初期化装置は、ポータブルデバイスである、［１１］に記載のシステム。
［１３］  前記初期化装置は、ワイヤレス通信リンクを介して、前記メータ読み取りデバイスに、前記初期メータ値を通信するように構成されている、［１２］に記載のシステム。
［１４］  前記メータ読み取りデバイスは、前記初期化装置から通信された前記初期メータ値を記録するようにさらに構成されている、［１３］に記載のシステム。
［１５］  前記メータ読み取りデバイスは、
前記メータ読み取りデバイス中に記録されている前記初期メータ値に基づいて、前記メータの前記現在のメータ値を決定し、
ワイヤレスリンクを介して、前記中央計測設備に、前記現在のメータ値を通信するようにさらに構成されている、［１４］に記載のシステム。
［１６］  コンピュータ読み取り可能な命令を記録した非一時的コンピュータ読み取り可能な記録媒体において、プロセッサによって命令が実行されたときに、前記プロセッサに、メータの現在のメータ値を中央計測設備に通信するメータ読み取りデバイスを初期化する方法を実行させ、前記方法は、
カメラによって、メータ情報を表示する前記メータの光学イメージをキャプチャすることと、
前記メータの前記光学イメージ中の前記メータ情報から、初期メータ値を決定することと、
前記初期メータ値を使用して、前記メータ読み取りデバイスを初期化することとを備える、非一時的コンピュータ読み取り可能な記録媒体。
［１７］  前記キャプチャすることと前記決定することは、ポータブルデバイスによって実行される、［１６］に記載の非一時的コンピュータ読み取り可能な記録媒体。
［１８］  前記初期化することは、ワイヤレスリンクを介して、前記ポータブルデバイスから前記メータ読み取りデバイスに、前記初期メータ値を通信することを含む、［１７］に記載の非一時的コンピュータ読み取り可能な記録媒体。
［１９］  前記初期化することは、前記ポータブルデバイスから通信された前記初期メータ値を、前記メータ読み取りデバイス中に記録することを含む、［１８］に記載の非一時的コンピュータ読み取り可能な記録媒体。
［２０］  前記メータ読み取りデバイス中に記録されている前記初期メータ値に基づいて、前記メータの前記現在のメータ値を決定することと、
ワイヤレスリンクを介して、前記メータ読み取りデバイスから前記中央計測設備に、前記現在のメータ値を通信することとをさらに備える、［１９］に記載の非一時的コンピュータ読み取り可能な記録媒体。
［２１］  メータ読み取りデバイスを初期化する装置において、前記メータ読み取りデバイスは、メータの現在のメータ値を中央計測設備に通信するように構成され、前記装置は、
メータ情報を表示する前記メータの光学イメージをキャプチャするように構成されているカメラと、
前記メータの前記光学イメージをサーバに送信し、
前記サーバから、前記メータの前記光学イメージサーバ中の前記メータ情報から決定された初期メータ値を受信し、
前記初期メータ値を使用して、前記メータ読み取りデバイスを初期化するように構成されているプロセッサとを備える、装置。
［２２］  前記装置は、ポータブルデバイスである、［２１］に記載の装置。
［２３］  前記プロセッサは、ワイヤレス通信リンクを介して、前記メータ読み取りデバイスに、前記初期メータ値を通信するようにさらに構成されている、［２２］に記載の装置。
［２４］  前記メータ読み取りデバイスは、前記ポータブルデバイスから通信された前記初期メータ値を記録する、［２３］に記載の装置。
［２５］  前記メータ読み取りデバイスは、
前記メータ読み取りデバイス中に記録されている前記初期メータ値に基づいて、前記メータの前記現在のメータ値を決定し、
ワイヤレスリンクを介して、前記中央計測設備に、前記現在のメータ値を通信する、［２４］に記載の装置。